(57)【要約】【課題】  塗装ブース２１の床下に設置した底面ダクト２５の清掃を、塗装ブース２１の底面の吸引スリット２６から塗装ブース２１内に逆流させることなく、床面ダクト２５を効果的に清掃する。【解決手段】  塗装ブース２１の床面２２の床下に、オーバースプレー粉を吸引する底面ダクト２５を設置し、前記床面２２に、床下の底面ダクト２５に沿って開口する吸引スリット２６を設け、この吸引スリット２６を通じて塗装ブース２１内のオーバースプレー粉を底面ダクト２５に吸引する塗装ブース２１における底面ダクト２５の清掃方法において、前記床面ダクト２５内を清掃する際に、塗装ブース２１の床面の吸引スリット２６に栓３１をして閉めた状態とし、床面ダクト２５の吸引方向の上流側端部から下流側に向かって清掃を行うようにしたものである。【選択図】  図２
2017196553.tif 000002
【特許請求の範囲】
【請求項１】
粉体塗装ブースの床面の床下に、オーバースプレー粉を吸引する底面ダクトを設置し、前記床面に、床下の底面ダクトに沿って開口する吸引スリットを設け、この吸引スリットを通じて塗装ブース内のオーバースプレー粉を底面ダクトに吸引する粉体塗装ブースにおける底面ダクトの清掃方法において、前記床面ダクト内を清掃する際に、粉体塗装ブースの床面の吸引スリットに栓をして閉めた状態とし、床面ダクトの吸引方向の上流側端部から下流側に向かって清掃を行うことを特徴とする粉体塗装ブースにおける床面ダクトの清掃方法。
【請求項２】
床面ダクトの吸引方向の上流側端部からエアーブローを行うことを特徴とする請求項１記載の粉体塗装ブースにおける底面ダクトの清掃方法。
【請求項３】
前記エアーブローを、床面ダクトの吸引方向の上流側端部から底面ダクト内にエアーブローノズルを差し込んで行うことを特徴とする請求項２記載の粉体塗装ブースにおける底面ダクトの清掃方法。
【請求項４】
前記底面ダクト内に、底面ダクトの吸引方向の上流側端部から差し込んだエアーブローノズルを、フレキシブルエアーホースによって構成し、フレキシブルエアーホースをエアーの噴出によって振動させ、この振動によって底面ダクト内に付着するオーバースプレー粉を取り除くことを特徴とする請求項３記載の粉体塗装ブースにおける底面ダクトの清掃方法。
【請求項５】
前記エアーブローノズルを底面ダクトの吸引方向の上流側から下流側に向かって移動させながらエアーブローを行うことを特徴とする請求項３又は４記載の粉体塗装ブースにおける底面ダクトの清掃方法。
【請求項６】
前記エアーブローノズルからのエアーの噴出を間欠的に行うことを特徴とする請求項２〜５のいずれかに記載の粉体塗装ブースにおける底面ダクトの清掃方法。
【発明の詳細な説明】
【技術分野】
【０００１】
この発明は、粉体塗装ブースの床面の床下に、オーバースプレー粉を吸引する床面ダクトを設置し、前記床面に、床下の床面ダクトに沿って開口する吸引スリットを設け、この吸引スリットを通じて塗装ブース内のオーバースプレー粉を床面ダクトに吸引する粉体塗装ブースにおける床面ダクトの清掃方法に関するものである。
【背景技術】
【０００２】
粉体塗装は、有機溶剤を含まず、環境にやさしい塗装として、多方面で使用されている。当初は、ガードレール、門扉、フェンスなど、主に屋外に使用する製品に多く使用されていたが、その後、冷蔵庫、洗濯機、電子レンジ、エアコンの室外機、鋼製家具、パーテーションなど、家庭、事務所で用いられる製品にも多く使用されている。また、日本の基幹産業の一つである自動車の部品へも多く用いられている。例えば、ワイパー、アルミホイール、ブレーキパッド、オイルフィルター、コイルスプリングなどの塗装の他、自動車のボディー塗装にも採用されている。特に、近年無公害という特徴から学童の椅子、机等にも採用されている。
【０００３】
粉体塗装は、被塗物に付着しなかったオーバースプレー粉の再使用が可能である利点を有するが、溶剤塗装に比べて、色替えが問題である。
【０００４】
溶剤塗装の場合は、例えば、A色にB色が少し混入しても混色は見られない。
【０００５】
しかしながら、粉体塗装の場合は、粉体塗料粒子に別の色の粉体塗料が混ざると、その混ざった粉体塗料がそのまま硬化し、コンタミとして塗膜に現れる。
【０００６】
したがって、粉体塗装では、色替えの際に、コンタミが生じないように、塗装ブースの清掃を十分に行わななければならない。
【０００７】
ところで、粉体塗装を行う粉体塗装ブースとして、従来、図４に示すように、塗装ブース１の床面２の床下に、オーバースプレー粉を回収装置であるサイクロン３に供給する床面ダクト５を設置したものがある。
【０００８】
この塗装ブース１の床面２には、床下の床面ダクト５に沿って開口する吸引スリット６が床面２と壁面９との間のコーナー部に設けられ、この吸引スリット６を通じて塗装ブース１内のオーバースプレー粉を床面ダクト５に吸引し、吸引したオーバースプレー粉をサイクロン３によって回収している。サイクロン３の排気は、カートリッジフィルター８を備える集塵機４に供給される。
【０００９】
また、塗装ブース１の床面２の中央には、床面２に溜まったオーバースプレー粉を吸引スリット６に向かって送るエアーブローノズル７を設置している。
【００１０】
塗装ブース１のエアーの流れと、床面ダクト５のエアーの流れは、図４に矢印で示している。
【００１１】
上記のような床下に床面ダクト５を設置した塗装ブース１は、色替えの際に、床面２と壁面９と共に、床面ダクト５内を清掃する必要がある。
【００１２】
従来、床下の床面ダクト５内の清掃は、図５の概略図に示すように、塗装ブース１の外部から床下の床面ダクト５の吸引方向の上流側端部を開き、塗装ブース１の外部から床面ダクト５内にエアーブロー装置１０を差し入れ、エアーブロー装置１０を台車等に載せて床面ダクト５内を移動させ、エアーブローによって床面ダクト５内を清掃している（特許文献１）。
【００１３】
なお、図５において、符号１１は被塗装物、１２は被塗装物の搬送ハンガーを示している。
【先行技術文献】
【特許文献】
【００１４】
【特許文献１】特開２０００−４２４５３号公報
【発明の概要】
【発明が解決しようとする課題】
【００１５】
ところが、上記のように、塗装ブース１の外部から床面ダクト５の一端を開いて、エアーブロー装置１０を差し入れてエアーブローを行った場合、塗装ブース１の床面２に設けた吸引スリット６から床面ダクト５内の粉体塗料が塗装ブース１内に逆流し、清掃した塗装ブース１の床面２や壁面１１に付着し、床面２や壁面９の清掃を再度行う必要があり、清掃作業に時間がかかり、色替え時間が長くなるという問題がある。
【００１６】
また、床下の床面ダクト５は、床面ダクト５に沿ってスリット６が設けられているため、一端からエアーブローを行った場合に、エアーが水平に設置された床面ダクト５の中心部を通り、回収ダクト５の内面に付着した粉体塗料の清掃が困難であった。
【００１７】
このため、塗装ブース１内と回収ダクト５内の清掃を完全に行うことが困難であり、色替えした粉体塗料に前の粉体塗料色が多く混じる混色が生じ、混色が収まるまで、多量の回収粉を産業廃棄物として処理しなければならない。
【００１８】
そこで、この発明は、塗装ブースの床下に設置した床面ダクトの清掃を、塗装ブースの床面の吸引スリットから塗装ブース内に逆流させることなく、床面ダクトを効果的に清掃しようとするものである。
【課題を解決するための手段】
【００１９】
この発明は、上記の課題を解決するために、粉体塗装ブースの床面の床下に、オーバースプレー粉を吸引する床面ダクトを設置し、前記床面に、床下の床面ダクトに沿って開口する吸引スリットを設け、この吸引スリットを通じて塗装ブース内のオーバースプレー粉を床面ダクトに吸引する粉体塗装ブースにおける床面ダクトの清掃方法において、前記床面ダクト内を清掃する際に、粉体塗装ブースの床面の吸引スリットに栓をして閉めた状態とし、床面ダクトの吸引方向の上流側端部から下流側に向かって清掃を行うようにしたものである。
【００２０】
前記床面ダクト内の清掃は、床面ダクトの吸引方向の上流側端部からエアーブローによって行うことができる。
【００２１】
床面ダクトの吸引方向の上流側端部から差し込むエアーブローノズルは、フレキシブルエアーホースによって構成することができる。フレキシブルエアーホースは、エアーの噴出によって振動するため、この振動によって床面ダクト内に付着するオーバースプレー粉が効果的に取り除くことができる。
【００２２】
前記エアーブローノズルは、吸引方向の上流側から下流側に向かって移動させながらエアーブローを行うことが望ましい。
【００２３】
前記エアーブローノズルからのエアーの噴出は、間欠的に行うようにしてもよい。
【発明の効果】
【００２４】
この発明によれば、床面ダクトを清掃する際に、粉体塗装ブースの床面の吸引スリットに栓をして閉めた状態で行うので、吸引スリットから塗装ブース内への粉体塗料の漏れ出しを防止できる。
【００２５】
また、粉体塗装ブースの床面の吸引スリットに栓をして閉めた状態で床面ダクトの吸引方向の上流側端部からエアーブローすると、床面ダクトに付着した粉体塗料が効果的に除去され、床面ダクトの清掃効果が高い。
【図面の簡単な説明】
【００２６】
【図１】この発明によって清掃を行う塗装ブースの一例を示す部分断面図である。
【図２】この発明による塗装ブースの清掃作業を行う際に、床面の吸引スリットを栓で閉じた状態を示す部分断面図である。
【図３】塗装ブースの床面に設置した底面ダクトの清掃方法を示す概略図である。
【図４】塗装ブースを示す部分断面図である。
【図５】塗装ブースの床面に設置した底面ダクトの従来の清掃方法を示す概略図である。
【発明を実施するための形態】
【００２７】
以下、この発明の実施形態について説明する。
【００２８】
図１は、この発明によって清掃を行う塗装ブース２１の一例を示している。
【００２９】
図１において、塗装ブース２１は、部分断面で示しており、床面２２の床下に、オーバースプレー粉をサイクロン２３によって回収する床面ダクト２５が設置されている。
【００３０】
この塗装ブース２１の床面２２には、床下の床面ダクト２５に沿って開口する吸引スリット２６が床面２２と壁面２７との間のコーナー部に設けられ、この吸引スリット２６を通じて塗装ブース２１内のオーバースプレー粉を床面ダクト２５に吸引し、吸引したオーバースプレー粉をサイクロン２３によって回収している。サイクロン２３の排気は、カートリッジフィルター２８を備える集塵機２９に供給される。
【００３１】
また、塗装ブース２１の床面２２の中央には、床面２２に溜まったオーバースプレー粉を吸引スリット２６に向かって送るエアーブローノズル３０を設置している。
【００３２】
塗装ブース２１内のエアーの流れと、床面ダクト２５のエアーの流れは、図１に矢印で示している。
【００３３】
塗装ブース２１の床面２２と壁面２７は、樹脂パネルによって形成されており、床面ダクト２５は、ステンレススチールによって形成されている。
【００３４】
上記塗装ブース２１の清掃は、床面２２と壁面２７を清掃した後、床面ダクト２５内の清掃を行う。
【００３５】
床面ダクト２５内の清掃を行う際には、床面２２の吸引スリット２６に栓３１をして、吸引スリット２６を閉じた状態で行う
【００３６】
床面ダクト２５内の清掃は、サイクロン２３と集塵機２９を駆動させた状態で、即ち、回収ダクト２５内を吸引状態のまま、図２に示すように、床面ダクト２５の吸引方向の上流側端部を開いて、床面ダクト２５の吸引方向の上流側端部から下流側に向かって清掃を行う。
【００３７】
栓３１は、床面ダクト２５内が吸引状態であるので、床面２２側に置くと、吸引スリット２６に強制的に引っ付いて吸引スリット２６を閉じることができる。
【００３８】
このため、栓３１としては、床面２２側から置いて吸引スリット２６を閉じることができる形状であれば、塩ビパイプ、金属パイプ、板加工品など材料は選ばない。
【００３９】
床面ダクト２５内の清掃は、例えば、図３に示すように、塗装ブース２１の外部から床下の床面ダクト２５の吸引方向の上流側端部を開き、塗装ブース２１の外部から床面ダクト２５内にエアーブロー装置３２を差し入れ、エアーブロー装置３２を台車等に載せて床面ダクト２５内を移動させ、エアーブローによって床面ダクト２５内を清掃する。
【００４０】
また、床面ダクト２５の吸引方向の上流側端部からエアーブローノズルを差し込んで、エアーを床面ダクト２５内に供給するようにして清掃を行ってもよい。
【００４１】
床面ダクト２５の吸引方向の上流側端部に差し込むエアーブローノズルは、フレキシブルエアーホースによって構成することができる。
【００４２】
エアーブローノズルをフレキシブルエアーホースによって構成すると、エアーの噴出によってフレキシブルエアーホースが床面ダクト２５内で振動し、この振動によって床面ダクト２５内に付着するオーバースプレー粉が効果的に取り除かれ、サイクロン２３に吸引される。
【００４３】
床面ダクト２５内にエアーブローのエアーを供給しても、床面ダクト２５の吸引スリット２６は、栓３１によって閉じられているため、吸引スリット２６から塗装ブース２１内に粉体塗料が漏れ出さないので、床面ダクト２５内を清掃する際に、塗装ブース２１内が粉体塗料によって再度汚染することはない。
【００４４】
前記エアーブローノズルからのエアーの噴出を間欠的に行うことにより、床面ダクト２５内に付着する粉体塗料をより効果的に剥離することができる。
なお、図３において、符号３３は被塗装物、３４は被塗装物の搬送ハンガーを示している。
【符号の説明】
【００４５】
２１      ：塗装ブース
２２      ：床面
２３      ：サイクロン
２５      ：床面ダクト
２６      ：吸引スリット
２７      ：壁面
２８      ：カートリッジフィルター
２９      ：集塵機
３０      ：エアーブローノズル
３１      ：栓
３２      ：エアーブロー装置
３３      ：被塗装物
３４      ：搬送ハンガー
【図１】
2017196553.tif 000003
【図２】
2017196553.tif 000004
【図３】
2017196553.tif 000005
【図４】
2017196553.tif 000006
【図５】
2017196553.tif 000007